(57)【要約】【課題】パイプに流体を循環させて地下の深い位置の熱を地上に回収するシステムで、既製杭とパイプを安全かつ効率的に連結して、必要深さまでパイプを埋設する。【解決手段】既製杭１Ｃの下端部に固定した中空Ｕ字状の下端パイプ保持具１０をパイプ３０Ａ、３０Ａを接続して、地上３２から地盤を掘削して杭穴３３を形成し、杭穴３３内に既製杭１Ｃを下降する（ａ）（ｂ）。上端パイプ保持具２０でパイプ３０Ａを係止した既製杭１Ａの上端部を地上３２で保持し、上方からパイプ３０Ｃを内装した既製杭１Ｃを下降する（ｃ）。続いて、パイプ３０Ａとパイプ３０Ｃとを接続して（ｄ）、Ｘ字状の上端パイプ保持具２０を折り畳んで取り外し、既製杭１Ｃと既製杭１Ｃとを連結する。連結した既製杭１Ｃ、１Ｂを下降して（ｅ）、以下必要数の既製杭１を連結して、既製杭と共に、パイプを杭穴３３内に埋設する。【選択図】図３
2014129705.tif 000002
【特許請求の範囲】
【請求項１】
中空部を有する既製杭の該中空部に、流体を循環させて熱交換ができるパイプを配置して、前記既製杭の複数本を地中に埋設することにより既製杭をパイプを埋設する方法であって、以下のように構成したことを特徴とする熱交換用パイプの埋設方法。
(1) 「最下端の既製杭」の下端部に、略Ｕ字状の中空の下端パイプ保持具の１つ又は複数を、２つの開口を上に向けて、上昇を規制して取り付ける。
「最下端の既製杭」の中空部に、前記下端保持具に対応して、２本の熱交換用のパイプを配置し、各パイプの下端を前記下端パイプ保持具の開口にそれぞれ連結し、前記各パイプの上部及び／又は中間部で、前記パイプが前記既製杭の中空部内で所定位置に保つように、前記既製杭に設けた中間保持具に係止する。前記各パイプの上端を前記既製杭の上端付近に位置させる。
(2) 最下端以外に位置する「他の既製杭」の中空部に、前記最下端の既製杭と同じ位置に熱交換用のパイプを配置し、前記各パイプを前記既製杭の中空部内で所定位置に保つように、前記既製杭に設けた中間保持具に係止する。
(3) 地上から形成された杭穴内に、「最下端の既製杭」を下降して、「最下端の既製杭」の上端部を地上付近で保持する。
(4) 「最下端の既製杭」の上方から「他の既製杭」を下降して、他の既製杭のパイプの下端を、対応する「最下端の既製杭」のパイプの上端に連結する。
(5) 続いて、「他の既製杭」を「最下端の既製杭」に載せて、「他の既製杭」を「最下端の既製杭」とを通常の手段により連結する。
(6) 連結した「他の既製杭」と「最下端の既製杭」を下降して、必要ならば、前記「他の既製杭」の上端に、さらに別の「他の既製杭」を連結すると共に両既製杭のパイプを連結して、必要数の「他の既製杭」及び「最下端の既製杭」とを前記杭穴内に埋設する。
(7) 最上に位置する「他の既製杭」のパイプの上端に、地上に設置した熱交換用に必要なパイプを連結する。
【請求項２】
以下のように構成したことを特徴とする請求項１記載の熱交換用パイプの埋設方法。
(1) 使用する既製杭の径に併せて形成した２本の支持杆の中間部をＸ字状に配置して、交差点に設けた縦軸で連結して、前記各支持杆の中間部に配置したパイプを係止及び係止解除容易なパイプ係止部を設け、上端パイプ保持具を構成する。
(2) 「最下端の既製杭」及び「他の既製杭」の上端面に、前記上端パイプ保持具を載せ、中空部に配置した各パイプの上端部を、前記上端パイプ保持具のパイプ係止部に係止する。
前記上端パイプ保持具の取り付けは、少なくとも上下の「最下端の既製杭」及び「他の既製杭」の連結作業を開始する前までとする。
(3) 下方に位置する既製杭で、パイプの上端部が前記上端パイプ保持具で保持された状態で、上方に位置する既製杭のパイプの下端部を連結する。
(4) 続いて、前記上端パイプ保持具と前記パイプの係止を解除して、各支持杆を折り畳み、下方に位置する既製杭から前記下端パイプ保持具を取り外す。
(5) 続いて、前記上方に位置する既製杭を下方に位置する既製杭の上端に載せて、両既製杭を連結する。
【請求項３】
中空部を有する既製杭の該中空部に、流体を循環させて熱交換ができるパイプを配置して、前記既製杭の複数本を地中に埋設することにより既製杭をパイプを埋設する方法であって、以下のように構成したことを特徴とする熱交換用パイプの埋設方法。
(1) 「最下端の既製杭」の中空部に、略Ｕ字状に折り曲げて形成したパイプの１つ又は複数を、２つの開口を上に向けて設置し、下端部の折り曲げ部を「最下端の既製杭」の下端部に上昇を規制して取り付ける。
前記各パイプの上部及び／又は中間部で、前記パイプが前記既製杭の中空部内で所定位置に保つように、前記既製杭に設けた中間保持具に係止する。前記各パイプの上端を前記既製杭の上端付近に位置させる。
(2) 最下端以外に位置する「他の既製杭」の中空部に、前記最下端の既製杭と同じ位置に熱交換用のパイプを配置し、前記各パイプを前記既製杭の中空部内で所定位置に保つように、前記既製杭に設けた中間保持具に係止する。
(3) 使用する既製杭の径に併せて形成した２本の支持杆の中間部をＸ字状に配置して、交差点に設けた縦軸で連結して、前記各支持杆の中間部に配置したパイプを係止及び係止解除容易なパイプ係止部を設け、上端パイプ保持具を構成する。
「最下端の既製杭」及び「他の既製杭」の上端面に、前記上端パイプ保持具を載せ、中空部に配置した各パイプの上端部を、前記上端パイプ保持具のパイプ係止部に係止する。
前記上端パイプ保持具の取り付けは、少なくとも上下の「最下端の既製杭」及び「他の既製杭」の連結作業を開始する前までとする。
(4) 地上から形成された杭穴内に、「最下端の既製杭」を下降して、「最下端の既製杭」の上端部を地上付近で保持する。
(5) 「最下端の既製杭」の上方から「他の既製杭」を下降して、他の既製杭のパイプの下端を、対応する「最下端の既製杭」のパイプの上端に連結して、その後、前記上端パイプ保持具と前記パイプの係止を解除して、各支持杆を折り畳み、下方に位置する既製杭から前記下端パイプ保持具を取り外す。
(6) 続いて、「他の既製杭」を「最下端の既製杭」に載せて、「他の既製杭」を「最下端の既製杭」とを通常の手段により連結する。
(7) 連結した「他の既製杭」と「最下端の既製杭」を下降して、必要ならば、前記「他の既製杭」の上端に、さらに別の「他の既製杭」を連結すると共に両既製杭のパイプを連結して、必要数の「他の既製杭」及び「最下端の既製杭」とを前記杭穴内に埋設する。
(8) 最上に位置する「他の既製杭」のパイプの上端に、地上に設置した熱交換用に必要なパイプを連結する。
【請求項４】
中空部を有する既製杭の該中空部に、流体を循環させて熱交換ができるパイプを配置して、前記既製杭の複数本を地中に埋設することにより既製杭をパイプを埋設する方法に使用する治具であって、以下のように構成したことを特徴とする埋設用治具。
(1) 使用する既製杭の径に併せて形成した２本の支持杆の中間部をＸ字状に配置して、交差点に設けた縦軸で連結して、前記各支持杆の中間部に配置したパイプを係止及び係止解除容易なパイプ係止部を設ける。
(2) 前記支持杆は縦軸周りに回転自在とする。
【発明の詳細な説明】
【技術分野】
【０００１】
この発明は、複数本の既製杭の中空部に熱交換用のパイプを設置して、熱交換用のパイプを地中に設置する熱交換用のパイプの埋設方法及びこの埋設方法に使用する埋設用治具に関する。
【背景技術】
【０００２】
従来、従来、地中の熱を利用するために、熱交換用のパイプを埋設して、地上に熱を取り出すシステムにおいて、地中深く掘削して形成する杭穴を利用する提案が多々なされている。例えば、地盤改良用その他の鋼管杭の中に、熱交換用のパイプを埋設する提案があった（特許文献１、２）。しかし、一般に、杭を埋設する杭穴内は掘削用の水や泥土で満たされており、事後的にパイプを埋設する場合には、浮力に抗して埋設する必要があった。  
そこで、浮力を考慮して、既製杭の中空部に予め熱交換用のパイプを配置して既製杭に固定しておく提案もなされている（特許文献３）。また、既製杭を使用しない場合には、Ｕ字状に配置した熱交換用のパイプの下端部に錘を付けて沈める提案もされていた。
【先行技術文献】
【特許文献】
【０００３】
【特許文献１】特開２００８−２６１５３５
【特許文献２】特開２００４−２３３０３１
【特許文献３】特開２００８−９６０６３
【発明の概要】
【発明が解決しようとする課題】
【０００４】
前記従来の場合、通常既製杭は１０ｍ程度の長さしかなく、例えば、５０ｍの深さに埋設する場合には、既製杭を連結しながら埋設する必要があった。従って、予め既製杭に熱交換用のパイプを固定した場合には、既製杭の施工の際に、既製杭の連結作業に加え、パイプの連結作業を要し、作業が繁雑となる問題点があった。  
また、杭穴内に比重が高い泥水が満たされている場合や泥水内に泥塊があった場合には、熱交換用のパイプを沈めることができなかった。とりわけ、５０ｍなどの深い位置までパイプの下端部を位置させる場合には、とりわけ顕著であった。
【課題を解決するための手段】
【０００５】
そこでこの発明では、下端パイプ保持具でパイプの下端部をまとめ、下端パイプ保持具を既製杭の内壁（中空部）に取り付けし、あるいは、上下の既製杭及びパイプを連結する際に、予めパイプの上端部を上端パイプ保持具に係止して既製杭とパイプの連結作業をするので、前記問題点を解決した。
【０００６】
すなわち、第一の方法の発明は、中空部を有する既製杭の該中空部に、流体を循環させて熱交換ができるパイプを配置して、前記既製杭の複数本を地中に埋設することにより既製杭をパイプを埋設する方法であって、以下のように構成したことを特徴とする熱交換用パイプの埋設方法である。  
(1) 「最下端の既製杭」の下端部に、略Ｕ字状の中空の下端パイプ保持具の１つ又は複数を、２つの開口を上に向けて、上昇を規制して取り付ける。  
「最下端の既製杭」の中空部に、前記下端保持具に対応して、２本の熱交換用のパイプを配置し、各パイプの下端を前記下端パイプ保持具の開口にそれぞれ連結し、前記各パイプの上部及び／又は中間部で、前記パイプが前記既製杭の中空部内で所定位置に保つように、前記既製杭に設けた中間保持具に係止する。前記各パイプの上端を前記既製杭の上端付近に位置させる。  
(2) 最下端以外に位置する「他の既製杭」の中空部に、前記最下端の既製杭と同じ位置に熱交換用のパイプを配置し、前記各パイプを前記既製杭の中空部内で所定位置に保つように、前記既製杭に設けた中間保持具に係止する。  
(3) 地上から形成された杭穴内に、「最下端の既製杭」を下降して、「最下端の既製杭」の上端部を地上付近で保持する。  
(4) 「最下端の既製杭」の上方から「他の既製杭」を下降して、他の既製杭のパイプの下端を、対応する「最下端の既製杭」のパイプの上端に連結する。  
(5) 続いて、「他の既製杭」を「最下端の既製杭」に載せて、「他の既製杭」を「最下端の既製杭」とを通常の手段により連結する。  
(6) 連結した「他の既製杭」と「最下端の既製杭」を下降して、必要ならば、前記「他の既製杭」の上端に、さらに別の「他の既製杭」を連結すると共に両既製杭のパイプを連結して、必要数の「他の既製杭」及び「最下端の既製杭」とを前記杭穴内に埋設する。  
(7) 最上に位置する「他の既製杭」のパイプの上端に、地上に設置した熱交換用に必要なパイプを連結する。
【０００７】
前記において、以下のように構成したことを特徴とする熱交換用パイプの埋設方法である。  
(1) 使用する既製杭の径に併せて形成した２本の支持杆の中間部をＸ字状に配置して、交差点に設けた縦軸で連結して、前記各支持杆の中間部に配置したパイプを係止及び係止解除容易なパイプ係止部を設け、上端パイプ保持具を構成する。  
(2) 「最下端の既製杭」及び「他の既製杭」の上端面に、前記上端パイプ保持具を載せ、中空部に配置した各パイプの上端部を、前記上端パイプ保持具のパイプ係止部に係止する。  
前記上端パイプ保持具の取り付けは、少なくとも上下の「最下端の既製杭」及び「他の既製杭」の連結作業を開始する前までとする。  
(3) 下方に位置する既製杭で、パイプの上端部が前記上端パイプ保持具で保持された状態で、上方に位置する既製杭のパイプの下端部を連結する。  
(4) 続いて、前記上端パイプ保持具と前記パイプの係止を解除して、各支持杆を折り畳み、下方に位置する既製杭から前記下端パイプ保持具を取り外す。  
(5) 続いて、前記上方に位置する既製杭を下方に位置する既製杭の上端に載せて、両既製杭を連結する。
【０００８】
また、第二の方法の発明は、中空部を有する既製杭の該中空部に、流体を循環させて熱交換ができるパイプを配置して、前記既製杭の複数本を地中に埋設することにより既製杭をパイプを埋設する方法であって、以下のように構成したことを特徴とする熱交換用パイプの埋設方法である。  
(1) 「最下端の既製杭」の中空部に、略Ｕ字状に折り曲げて形成したパイプの１つ又は複数を、２つの開口を上に向けて設置し、下端部の折り曲げ部を「最下端の既製杭」の下端部に上昇を規制して取り付ける。  
前記各パイプの上部及び／又は中間部で、前記パイプが前記既製杭の中空部内で所定位置に保つように、前記既製杭に設けた中間保持具に係止する。前記各パイプの上端を前記既製杭の上端付近に位置させる。  
(2) 最下端以外に位置する「他の既製杭」の中空部に、前記最下端の既製杭と同じ位置に熱交換用のパイプを配置し、前記各パイプを前記既製杭の中空部内で所定位置に保つように、前記既製杭に設けた中間保持具に係止する。  
(3) 使用する既製杭の径に併せて形成した２本の支持杆の中間部をＸ字状に配置して、交差点に設けた縦軸で連結して、前記各支持杆の中間部に配置したパイプを係止及び係止解除容易なパイプ係止部を設け、上端パイプ保持具を構成する。  
「最下端の既製杭」及び「他の既製杭」の上端面に、前記上端パイプ保持具を載せ、中空部に配置した各パイプの上端部を、前記上端パイプ保持具のパイプ係止部に係止する。  
前記上端パイプ保持具の取り付けは、少なくとも上下の「最下端の既製杭」及び「他の既製杭」の連結作業を開始する前までとする。  
(4) 地上から形成された杭穴内に、「最下端の既製杭」を下降して、「最下端の既製杭」の上端部を地上付近で保持する。  
(5) 「最下端の既製杭」の上方から「他の既製杭」を下降して、他の既製杭のパイプの下端を、対応する「最下端の既製杭」のパイプの上端に連結して、その後、前記上端パイプ保持具と前記パイプの係止を解除して、各支持杆を折り畳み、下方に位置する既製杭から前記下端パイプ保持具を取り外す。  
(6) 続いて、「他の既製杭」を「最下端の既製杭」に載せて、「他の既製杭」を「最下端の既製杭」とを通常の手段により連結する。  
(7) 連結した「他の既製杭」と「最下端の既製杭」を下降して、必要ならば、前記「他の既製杭」の上端に、さらに別の「他の既製杭」を連結すると共に両既製杭のパイプを連結して、必要数の「他の既製杭」及び「最下端の既製杭」とを前記杭穴内に埋設する。  
(8) 最上に位置する「他の既製杭」のパイプの上端に、地上に設置した熱交換用に必要なパイプを連結する。
【０００９】
また、治具の発明は、中空部を有する既製杭の該中空部に、流体を循環させて熱交換ができるパイプを配置して、前記既製杭の複数本を地中に埋設することにより既製杭をパイプを埋設する方法に使用する治具であって、以下のように構成したことを特徴とする埋設用治具である。  
(1) 使用する既製杭の径に併せて形成した２本の支持杆の中間部をＸ字状に配置して、交差点に設けた縦軸で連結して、前記各支持杆の中間部に配置したパイプを係止及び係止解除容易なパイプ係止部を設ける。  
(2) 前記支持杆は縦軸周りに回転自在とする。
【００１０】
前記における既製杭はコンクリート系、鋼管系など中空部を有する構造であれば、任意である。  
また、前記におけるパイプは、行き帰りで１組必要で、既製杭内に複数組を配置することもできる。
【発明の効果】
【００１１】
この発明は、下端パイプ保持具を使用したので、熱交換用のパイプの自重や錘を使用することなく、杭穴内の内容物の比重が高い掘削土やセメントミルクなどにかかわらず、熱交換用のパイプの浮力に抗して、熱交換用のパイプを埋設できる。  
また、上端パイプ保持具は、熱交換用のパイプと既製杭とから着脱自在であるので、既製杭と熱交換用のパイプを上下に連結しながら地上から深い位置まで熱交換用のパイプを埋設する場合の施工効率を高めることができる。
【図面の簡単な説明】
【００１２】
【図１】図１（ａ）〜（ｅ）はこの発明の埋設方法を説明する縦断面図である。
【図２】図２（ａ）（ｂ）はこの発明の埋設方法を説明する縦断面図で、最上の既製杭の設置完了の手順を表す。
【図３】図３（ａ）〜（ｅ）はこの発明の他の埋設方法を説明する縦断面図である。
【図４】図４（ａ）（ｂ）はこの発明の他の埋設方法を説明する縦断面図で、最上の既製杭の設置完了の手順を表す。
【図５】図５はこの発明の埋設方法に使用する治具であって、下端パイプ保持具で、（ａ）は拡大底面図、（ｂ）はＡ−Ａ断面図である。
【図６】図６はこの発明の埋設方法に使用する治具であって、上端パイプ保持具の拡大平面図で、（ａ）はパイプ保持状態、（ｂ）はパイプ解放状態、（ｃ）は治具取り外し状態を表す。
【図７】図７は図６（ａ）のＢ−Ｂ線における断面図である。
【発明を実施するための形態】
【００１３】
１．既製杭１の構成
【００１４】
（１）  この発明で使用する既製杭１は、コンクリート系の中空杭で、上下に連結用の端版を有する。また、既製杭１は鋼管杭とすることもでき、さらに鋼管杭とコンクリート系杭と混在させることもできる。
【００１５】
２．パイプ保持用治具１０、２０、２７
【００１６】
（１）  水平中空管１１の両端部に垂直中空管１２、１２を連通して連設して、略Ｕ字状の下端パイプ保持具１０として、２つの下端パイプ保持具１０、１０を並列させ、両下端パイプ保持具１０、１０の水平中空管１１、１１を接合杆１３で連結する（図５）。
【００１７】
（２）  水平に配置した杆材の両端部に突出板２４、２４を固定して支持杆２１として、２本の支持杆２１、２１をＸ字状に配置して、交差点に設けた縦軸２３で回転自在に連結して、上端パイプ保持具２０を構成する（図６）。一方の支持杆２１の縦軸２３付近で下面側を切り欠き、他方の支持杆２１の縦軸付近で上面側を切り欠き、連結した支持杆２１、２１の下面２２、２２が面一となるように形成する。また、各支持杆２１、２１で両突出板２４、２４の内側間の長さＬ１を、適用する既製杭１の外形と略同一とする（図６（ａ））。
【００１８】
各支持杆２１の側面に、部分環状（略Ｃ字状）のパイプ係止部２５、２５を取り付ける（図６（ｂ））。パイプ係止部２５は支持杆２１の下面２２から充分下がった位置に配置し、また、既製杭１内に配置する熱交換用のパイプ３０の位置に合わせて配置されている。通常は、パイプ３０は既製杭１の中空部２で円状に配置されるので、同じ円状に配置されている。また、パイプ係止部２５は、部分環状の中心軸を略垂直に向け、また、各パイプ係止部２５の部分環状の開口部を前記円周状の方向で同一向きに配置してある（図６（ｂ））。
【００１９】
（３）  既製杭１の内壁に固定できる支持部と、パイプ３０に嵌装着脱できる部分環状又は環状のパイプ保持部とから、中間パイプ保持具２７を形成する。
【００２０】
３．既製杭１への熱交換用のパイプ３０の取り付け
【００２１】
（１）  最下端に位置する既製杭１Ａは、既製杭１の下端部に直径方向の取付杆１５を固定する。各下端パイプ保持具１０、１０の垂直中空管１２、１２に熱交換用のパイプ３０の下端をそれぞれ連結する。この場合、２組の熱交換用のパイプ３０で合計４本配置される。また、パイプ３０を連結した下端パイプ保持具１０、１０を既製杭１Ａの中空部２内に配置して、下端パイプ保持具１０、１０を既製杭１Ａの下端部に位置させ、下端パイプ保持具１０の接合杆１３と取付杆１５とをワイヤー１６その他の手段で連結する。この場合、既製杭１Ａ内で、下端パイプ保持具１０、１０が上方に移動することを規制できていれば良い。  
また、パイプ３０の上端は既製杭１Ａの上端付近又は多少突出した位置に配置してある。  
また、既製杭１Ａの上面（上端）に、Ｘ字状に開いた上端パイプ保持具１０を載置して、パイプ３０、３０をパイプ係止部２５に嵌挿して係止する。  
また、既製杭１Ａの内壁に適宜中間パイプ保持具２７、２７を取り付けし、既製杭１Ａの中空部２内でパイプ３０、３０が水平方向の移動が規制される。
【００２２】
（２）  最下端の既製杭１Ａ以外の既製杭（他の既製杭）、即ち、最上端に位置する既製杭１Ｂ又は中間に位置する既製杭１Ｃは、中空部２に４本のパイプ３０、３０を配置し、各パイプ３０の上端を既製杭１の上端付近又は上方に突出した位置に配置し、パイプ３０の下端を既製杭１の下端付近の位置に配置する。  
既製杭１Ｂ、１Ｃの上面（上端）に、最下端の既製杭１Ａと同様に、Ｘ字状に開いた上端パイプ保持具２０を載置して、パイプ３０、３０をパイプ係止部２５、２５に嵌挿して係止する。また、既製杭１Ｂ、１Ｃの内壁に適宜中間パイプ保持具２７、２７を取り付けし、既製杭１Ｂ、１Ｃの中空部２内でパイプ３０、３０が水平方向の移動が規制する。しかし、上端パイプ保持具１０と中間パイプ保持具２７を使用してもパイプ３０、３０の垂直方向の移動は許容される。
【００２３】
４．パイプ３０、３０を取り付けた既製杭１の埋設（その１）
【００２４】
（１）  通常の掘削手段で、地上３２から地盤を掘削して杭穴３３を形成する（図３（ａ）（ｂ））。この場合、杭穴３３内の掘削土を排土せず、掘削土が杭穴３３内に満された状態とするが、排土しても良い。
【００２５】
（２）  続いて、杭穴３３に最下端の既製杭１Ａを埋設し、最下端の既製杭１Ａの上端を地上から出した状態で、掘削ロッド３５で通常の方法により既製杭１Ａの上端部を地上３２で保持する（図３（ｂ）（ｃ））。この状態で、パイプ３０、３０は上端パイプ保持具１０より落下することはない（図６（ａ）。
【００２６】
（３）  続いて、上方から次の既製杭１Ｃを下降させ（図３（ｃ））、既製杭１Ａの上方で所定高さ距離（通常３０〜５０ｃｍ程度）を空けた状態で、上側の既製杭１Ｃを保持する（図３（ｄ））。この状態で、上側の既製杭１Ｃからパイプ３０Ｃ、３０Ｃを引き出し、下側の既製杭１Ａのパイプ３０Ａ、３０Ａに、通常の手段で、連通するように連結する。  
続いて、上端パイプ保持具１０の全体を回転して、パイプ３０Ａ、３０Ａからパイプ係止部２５を外す（図６（ｂ））。続いて、上端パイプ保持具２０の支持杆２１、２１を折り畳み（図６（ｃ））、折り畳んだ上端パイプ保持具２０を隣接するパイプ３０Ａ、３０Ａの隙間Ｌ２から矢示のように略水平方向に移動させて、既製杭１Ａから取り外す。  
続いて、既製杭１Ｃを既製杭１Ａの上に載せて通常の方法で、既製杭１Ａ、１Ｃを連結する（図３（ｅ））。
【００２７】
（４）  同様に、必要な既製杭及び最上の既製杭１Ｂを連結すると共に各パイプ３０Ｂを連通連結する（（図４（ａ））。続いて、水などの流体を純化させる装置（図示していない）からのパイプ３１、３１を、既製杭１Ｂの上端付近又は上端から突出したパイプ３０Ｂ、３０Ｂに連通連結してパイプの埋設は完了する（図４（ｂ））。
【００２８】
（５）このように埋設したパイプ３０、３０内に水などの流体を充填すれば、既製杭１、１内で安全に保たれた下端パイプ保持具１０で折り返して、地中の熱を回収できる。
【００２９】
（６）  前記において、上端パイプ保持具２０は各既製杭１を杭打ち機に設置する前に取り付けたが、杭穴３３内に埋設して、地上３２に保持する段階で、既製杭１に設置することもできる。  
また、前記実施例において、下端パイプ保持具１０を省略して、Ｕ字状に折り曲げたパイプの下端の折り曲げ部を直接に取付杆１５に固定する（図示していない）。
【００３０】
５．パイプ３０を取り付けた既製杭１の埋設（その２）
【００３１】
上端パイプ保持具２０を使用した場合、中間パイプ保持具２７を省略または大幅に削減でき、上端パイプ保持具２０は同じ杭径であれば繰り返し使用できるので、使用することが好ましいが、この実施態様は、上端パイプ保持具２０を省略した実施態様である。この場合、各既製杭１上端の内壁に中間パイプ保持具を設置して、パイプ３０の上端部をが保持する。
【００３２】
（１）  通常の掘削手段で、地上３２から地盤を掘削して杭穴３３を形成する（図１（ａ）（ｂ））。この場合、杭穴３３内の掘削土を排土せず、掘削土が杭穴３３内に満された状態とするが、排土しても良い。
【００３３】
（２）  続いて、杭穴３３に最下端の既製杭１Ａを埋設し、最下端の既製杭１Ａの上端を地上から出した状態で、掘削ロッド３５で通常の方法により既製杭１Ａの上端部を地上３２で保持する（図１（ｂ）（ｃ））。この状態で、パイプ３０、３０は中間パイプ保持具２７より落下することはない。
【００３４】
（３）  続いて、上方から次の既製杭１Ｃを下降させ（図１（ｃ））、既製杭１Ａの上方で所定高さ距離（通常３０〜５０ｃｍ程度）を空けた状態で、上側の既製杭１Ｃを保持する（図１（ｄ））。この状態で、上側の既製杭１Ｃからパイプ３０Ｃ、３０Ｃを引き出し、下側の既製杭１Ａのパイプ３０Ａ、３０Ａに、通常の手段で、連通するように連結する。  
続いて、既製杭１Ｃを既製杭１Ａの上に載せて通常の方法で、既製杭１Ａ、１Ｃを連結する（図１（ｅ））。
【００３５】
（４）  同様に、必要な既製杭及び最上の既製杭１Ｂを連結すると共に各パイプ３０Ｂを連通連結する（（図２（ａ））。続いて、水などの流体を純化させる装置（図示していない）からのパイプ３１、３１を、既製杭１Ｂの上端付近又は上端から突出したパイプ３０Ｂ、３０Ｂに連通連結してパイプの埋設は完了する（図２（ｂ））。
【００３６】
（５）  このように埋設したパイプ３０、３０内に水などの流体を充填すれば、既製杭１、１内で安全に保たれた下端パイプ保持具１０で折り返して、地中の熱を回収できる。
【符号の説明】
【００３７】
１    既製杭
１Ａ  最下端の既製杭
１Ｂ  最上の既製杭
１Ｃ  中間の既製杭
２    既製杭の中空部
１０  下端パイプ保持具
１１  水平中空管
１２  垂直中空管
１３  接合杆
１５  取付杆
１６  ワイヤー
２０  上端パイプ保持具
２１  支持杆
２２  支持杆の下面
２３  縦軸
２４  突出版
２５  パイプ係止部
２７  中間パイプ保持具
３０、３０Ａ、３０Ｂ、３０Ｃ  パイプ
３１  パイプ
３２  地上
３３  杭穴
【図１】
2014129705.tif 000003
【図２】
2014129705.tif 000004
【図３】
2014129705.tif 000005
【図４】
2014129705.tif 000006
【図５】
2014129705.tif 000007
【図６】
2014129705.tif 000008
【図７】
2014129705.tif 000009